(57)【要約】【課題】ＤＣＴ規格の要件を満たし、送信機能と受信機能との間で素早く切換えることが可能であり、受信及び送信機能のために非切換周波数シンセサイザを使用することができ、送信構成要素と受信構成要素との間に著しい分離を与え、かつＩＣの形式で実現可能なデジタルコードレス電話システムを提供する。【解決手段】デジタルコードレス電話（２４）は、デジタル信号をアナログ信号に変換し、送信のためにアナログ信号の周波数を修正し、送信のために周波数をアップコンバートし、受信のために周波数をダウンコンバートし、送信および受信経路を増幅しかつ切換えるための、１つ以上のチップを有する集積回路チップセットにおいて実現される。チップセットがベースチップ（２６）と、中間周波数チップ（２８）と、ＲＦチップ（３０）と、増幅器チップ（３２）とを含むことが好ましい。この発明はまたさまざまなチップに関連して使用される周波数変換方式を使用する。【選択図】図２
2006081206.tif 000002
【特許請求の範囲】
【請求項１】
コードレス電話システムで使用するための集積回路チップセットであって、音声信号が与えられ、送信された信号はアンテナを経て受信され、前記チップセットは
前記音声信号を受信するようにされ、前記音声信号をデジタル音声信号に変換し、かつ前記デジタル音声信号から変調されたデジタル信号を発生するためのベース集積回路チップを含み、前記変調されたデジタル信号は第１の中間周波数を有し、
前記ベースチップに接続するようにされ、前記第１の中間周波数を有する前記変調されたデジタル信号を前記第１の中間周波数を有するアナログ信号に変換し、かつ前記アナログ信号の周波数を変調するための中間周波数集積回路チップをさらに含み、送信の間前記アナログ信号の周波数は第２の中間周波数にアップコンバートされ、かつ受信の間前記送信された信号は前記第２の中間周波数から前記第１の中間周波数へダウンコンバートされ、
前記中間周波数チップに接続するようにされ、送信の間前記アナログ信号の周波数を前記第２の中間周波数から所望の無線周波数にアップコンバートし、かつ受信の間前記送信された信号を所望の無線周波数から前記第２の中間周波数へダウンコンバートするための無線周波数集積回路チップと、
前記無線周波数チップと前記アンテナとの間に接続するようにされた増幅器集積回路チップとを含み、前記増幅器チップは送信経路と受信経路とを含み、送信の間前記無線周波数信号を増幅し、かつ前記アンテナを前記送信経路と前記受信経路との間で切換えるためのものである、集積回路チップセット。
【請求項２】
デジタルコードレス電話システムであって、音声信号が与えられ、送信された信号はアンテナを経て受信され、前記システムは
前記音声信号を受信するように接続され、前記音声信号をデジタル音声信号に変換し、かつ前記デジタル音声信号から変調されたデジタル信号を発生するためのベース集積回路チップを含み、前記変調されたデジタル信号は第１の中間周波数を有し、
前記ベースチップに接続するようにされ、前記第１の中間周波数を有する前記変調されたデジタル信号を前記第１の中間周波数を有するアナログ信号に変換し、かつ前記アナログ信号の周波数を変調するための中間周波数集積回路チップをさらに含み、送信の間前記アナログ信号の周波数は第２の中間周波数にアップコンバートされ、かつ受信の間前記送信された信号は前記第２の中間周波数から前記第１の中間周波数にダウンコンバートされ、
前記中間周波数チップに接続され、送信の間前記アナログ信号の周波数を前記第２の中間周波数から所望の無線周波数にアップコンバートし、かつ受信の間前記送信された信号を所望の無線周波数から前記第２の中間周波数へダウンコンバートするための無線周波数集積回路チップと、
前記無線周波数チップと前記アンテナとの間に接続された増幅器集積回路チップとを含み、前記増幅器チップは送信経路と受信経路とを含み、送信の間前記無線周波数信号を増幅し、かつ前記送信経路と受信経路との間で前記アンテナを切換えるためのものである、デジタルコードレス電話システム。
【請求項３】
前記無線周波数チップに接続され、前記無線周波数チップで前記無線周波数信号および前記第２の中間周波数信号と混合するための基準信号を発生するための周波数シンセサイザ集積回路チップをさらに含む、請求項２に記載のシステム。
【請求項４】
前記ベースチップは前記音声信号を表わすパルスコード変調信号を発生するためのデジタル信号発生器を含む、請求項２に記載のシステム。
【請求項５】
前記ベースチップは前記パルスコード変調信号を表わす位相シフトキーイングされた変
調信号を発生するための変調器をさらに含む、請求項４に記載のシステム。
【請求項６】
各伝送チャネルの帯域幅の数倍にオフセットを加えたものに等しい搬送周波数を有するコードレス電話システムで使用するためのベースバンド集積回路チップであって、音声信号が与えられ、オフセットを含む中間周波数を有する送信された信号が受信され、前記ベースバンドチップは
前記音声信号を前記音声信号を表わすデジタル音声信号に適応的に変換する手段と、
制御信号に応答して変調されたデジタル信号を発生するためのモデムとを備え、前記モデムは
前記デジタル音声信号から前記変調されたデジタル信号を発生するための変調器を含み、前記変調されたデジタル信号はオフセットを含む前記中間周波数を有し、
前記中間周波数を有する送信された信号を受信し、かつデジタル音声信号を発生するための復調器をさらに含み、
ベースバンドチップは
前記モデムが所望の時間期間の間のみ前記デジタル信号を発生するように前記制御信号を発生するための制御プロセッサをさらに備える、ベースバンド集積回路チップ。
【請求項７】
前記変調器はある繰返し率で前記音声信号を表わす前記デジタル信号を発生するための信号発生器と、あるサンプル速度でデジタルサンプルを発生するための補間器とを含み、前記デジタルサンプルは搬送周波数を有する搬送波信号を表わす、請求項６に記載のベースバンドチップ。
【請求項８】
前記変調器は前記搬送周波数が約１０．７５２ＭＨｚになるように前記デジタルサンプルを発生する、請求項７に記載のベースバンドチップ。
【請求項９】
ベースバンドプロセッサ（２６）を有するコードレス電話システムで使用するための中間周波数集積回路チップ（２８）であって、音声信号を表わすデジタル信号が前記ベースバンドプロセッサによって与えられ、送信された信号が受信され、前記中間周波数チップは
前記デジタル信号をアナログ信号に変換して送信するためのデジタル−アナログコンバータ（１３６）と、
アナログ信号を変換して前記ベースバンドプロセッサ（２６）によって処理されるデジタル信号にするためのアナログ−デジタルコンバータ（１４４）と、
前記コンバータ（１３６，１５０）間に接続され、前記ベースバンドプロセッサ（２６）に接続するようにされたデータバスと、
前記デジタル−アナログコンバータ（１３６）に接続されたミクサ手段（図５の９８，１０４，１０２、または集合的に図８のアップ／ダウンコンバータ１３４）とを含み、前記ミクサ手段は前記アナログ信号の周波数を増大させるようにするか、または前記送信された信号の周波数を減少させるようにし、前記ミクサ手段は前記アナログ信号を送信するか、または前記送信された信号を受信するように接続され、
前記ミクサ手段に接続され、既知の周波数を有する基準信号を前記ミクサ手段に与えるための局所発振器（１００）を含み、前記基準信号は周波数を増加させるためにも減少させるためにも使用され、
前記データバス、前記ミクサ手段および前記局所発振器は受信動作および送信動作双方に共用される、中間周波数集積回路チップ。
【請求項１０】
前記ミクサ手段は
制御信号に応答して送信機能と受信機能との間の切換を行なうスイッチを含み、前記制御信号は前記ベースバンドプロセッサによって与えられ、
前記アナログ信号の周波数を増加させるための第１のミキサと、
前記送信された信号の周波数を減少させるための第２のミキサとを含む、請求項９に記載の中間周波数チップ。
【請求項１１】
前記送信された信号の周波数を、前記信号が前記ミキサで処理された後さらに変調するための第３のミキサをさらに含む、請求項９に記載の中間周波数チップ。
【請求項１２】
前記送信された信号に含まれるデータを検出し、前記データを表わすデジタル受信信号を発生するための検出器をさらに含み、前記検出器は前記ベースバンドプロセッサに接続するようにされ、それによって前記デジタル受信信号は前記ベースバンドプロセッサに与えられ得る、請求項１１に記載の中間周波数チップ。
【請求項１３】
前記検出器はリミッタとサンプラとを含み、前記リミッタおよび前記サンプラはお互いに相対的に密接して前記チップ上に形成される、請求項１２に記載の中間周波数チップ。
【請求項１４】
ベースバンドプロセッサを有するコードレス電話システムで使用するための無線周波数集積回路チップであって、既知の周波数を有する基準信号が与えられ、音声信号を表わすアナログ信号が与えられ、送信された信号が受信され、前記無線周波数チップは
前記アナログ信号を受信するように接続されるようにされた第１のスイッチを含み、前記第１のスイッチは前記ベースバンドプロセッサによって与えられた制御信号に応答して動作可能であり、
前記送信された信号を受信するように接続されるようにされた第２のスイッチを含み、前記第２のスイッチは前記ベースバンドプロセッサによって与えられた制御信号に応答して動作可能であり、
前記基準信号を受信するように接続され、かつ前記第１および第２のスイッチ間に接続され、それによって送信経路を規定する第１のミクサと、
前記基準信号を受信するように接続され、かつ前記第１および第２のスイッチ間に接続され、それによって受信経路を規定する第２のミクサとを含む、無線周波数集積回路チップ。
【請求項１５】
ベースバンドプロセッサとアンテナとを有するコードレス電話システムで使用するための増幅器およびスイッチ集積回路チップであって、音声信号を表わすアナログ信号が前記アンテナによる送信のために与えられ、送信された信号が前記アンテナによって受信され、前記増幅器および前記スイッチチップは
前記アナログ信号を受信するように接続されるようにされた第１のスイッチを含み、前記第１のスイッチは前記ベースバンドプロセッサによって与えられた制御信号に応答して動作可能であり、
前記アンテナから前記送信された信号を受信するように接続されるようにされた第２のスイッチを含み、前記第２のスイッチは前記ベースバンドプロセッサによって与えられた制御信号に応答して動作可能であり、前記第２のスイッチは前記第１のスイッチに電子的に接続され、それによって前記受信経路を規定し、
前記第１および第２のスイッチ間に接続されるようにされ、それによって送信経路を規定する増幅器を含み、前記アンテナは前記制御信号に応答して前記送信経路か前記受信経路のいずれかに接続される、増幅器およびスイッチ集積回路チップ。
【請求項１６】
コードレス電話動作のための装置であって、音声信号が前記装置から送信され、遠隔送信された信号が前記装置に関連のアンテナで受信され、前記装置は
音声信号を受信するようにされ、前記音声信号をある繰返し率を有するデジタル信号に変換し、前記デジタル信号を補間して、あるサンプル速度で一連のデジタルサンプルを発生するための第１段を含み、前記デジタルサンプルは所望の周波数で変調された搬送波信号を表わし、前記送信された信号を表わすデジタル信号を受信するようにされ、
前記第１段に接続され、前記一連のデジタルサンプルを受信し、前記デジタルサンプルを初期周波数を有するアナログ送信信号に変換し、かつ前記初期周波数を第１の周波数を有する第１の基準信号に基づいて変更するための第２段を含み、前記第２段は中間周波数を有する遠隔送信された信号を受信するようにされ、前記送信された信号の中間周波数を第２の周波数を有する第２の基準信号に基づいて変更し、前記第１および第２の基準信号は局所的に発生され、
前記第２段に接続され、前記アンテナから前記遠隔送信された信号を受信するようにされ、第３の周波数を有する第１の搬送波信号に基づいて前記送信信号の周波数をさらに変更し、かつ前記アンテナから無線周波数を有する前記遠隔送信された信号を受信するようにされ、前記遠隔送信された信号の周波数を第４の周波数を有する第２の搬送波信号に基づいて変更するための第３段を含み、
前記サンプル速度、第１および第２の周波数はマスタ周波数の整数倍である、コードレス電話動作のための装置。
【請求項１７】
前記マスタ周波数は９．６ＭＨｚである、請求項１６に記載の装置。
【請求項１８】
前記第１段および第２段に接続され、前記マスタ周波数を有するマスタ基準信号を発生するためのマスタ発振器をさらに含む、請求項１６に記載の装置。
【請求項１９】
前記変調された搬送波信号は変調された搬送周波数を有し、前記変調された搬送周波数および前記第２の周波数は等しい、請求項１６に記載の装置。
【請求項２０】
前記繰返し率は前記第１段によって制御され、前記繰返し率の前記マスタ周波数に対する割合は２つの整数の分数である、請求項１６に記載の装置。
【請求項２１】
前記割合は３／２５に等しい、請求項２０に記載の装置。
【請求項２２】
前記第３および第４の周波数は等しい、請求項１６に記載の装置。
【請求項２３】
前記第１段は
制御信号に応答してデジタルサンプルを送信するためのモデムを含み、前記デジタルサンプルは所望される期間の間のみ与えられ、前記モデムは前記繰返し率で前記音声信号を表わす前記デジタル信号を発生し、かつ前記デジタル信号を補間し、それによって前記サンプリング速度でデジタルサンプルを発生するための変調器を含み、前記デジタルサンプルは搬送周波数を有する搬送波信号を表わし、
前記モデムに接続され、前記制御信号を発生するためのコントローラを含む、請求項１６に記載の装置。
【請求項２４】
前記第２段および第３段の間に接続された第１の帯域フィルタをさらに含み、前記第１の帯域フィルタは第１の周波数帯域を規定し、前記第３の周波数は前記帯域外にあり、前記初期周波数を有する前記アナログ送信信号が前記第２段に存在しなければ、前記第１の周波数が前記第１の帯域フィルタを通らないようにする、請求項１６に記載の装置。
【請求項２５】
前記第３段と前記アンテナとの間に接続された第２の帯域フィルタをさらに含み、前記第２の帯域フィルタは第２の周波数帯域を規定し、前記第１の周波数は前記帯域外にあり、前記初期周波数を有する前記アナログ送信信号が前記第２段に存在しなければ、前記第３の周波数が前記第２の帯域フィルタを通らないようにする、請求項２４に記載の装置。
【請求項２６】
前記第３段に接続され、前記第１および第２の搬送波信号を発生するためのシンセサイザをさらに含む、請求項１６に記載の装置。
【請求項２７】
前記第１および第２の搬送波信号は基準周波数の整数倍であり、前記基準周波数は、前記シンセサイザによって発生され、チャネル間隔要求に関連して選択される周波数である、請求項２６に記載の装置。
【請求項２８】
前記基準周波数は３００ＫＨｚである、請求項２７に記載の装置。
【請求項２９】
信号は規定されたチャネルで前記装置によって受信され、かつ前記装置から送信され、前記チャネルは時間的に間隔をあけられ、前記基準周波数はチャネル間隔に応答して選択される、請求項２７に記載の装置。
【請求項３０】
前記第１および第２の周波数は等しい、請求項１６に記載の装置。
【請求項３１】
コードレス電話の周波数変換のための方法であって、音声信号はアンテナから送信されることになり、かつ遠隔送信された信号はアンテナで受信され、前記方法は
前記音声信号をある繰返し率を有するデジタル信号に変換するステップと、
前記デジタル信号を補間して、あるサンプル速度で一連のデジタルサンプルを発生するステップとを含み、前記デジタルサンプルは変調された搬送波信号を表わし、
前記デジタルサンプルを初期周波数を有するアナログ送信信号に変換するステップと、
前記初期周波数を第１の周波数を有する第１の基準信号に基づいて変更するステップと、
前記送信信号の周波数を第２の周波数を有する第１の搬送波信号に基づいてさらに変更するステップとを含み、前記サンプル速度および前記第１の周波数は基準周波数の整数倍である、コードレス電話の周波数変換のための方法。
【請求項３２】
前記アンテナから無線周波数を有する前記遠隔送信された信号を受信するステップと、
前記遠隔送信された信号の周波数を第３の周波数を有する第２の搬送波信号に基づいて変更するステップとを含み、前記遠隔送信された信号は中間周波数を有するように変更され、
中間周波数を有する遠隔送信された信号を、第４の周波数を有する第２の基準信号に基づいて中間周波数を変更することによってさらに変更するステップと、
前記遠隔送信された信号をデジタル信号に変換するステップと、
前記デジタル信号を音声信号に変換するステップとを含む、請求項３１に記載の方法。
【請求項３３】
デジタルコードレス電話システムであって、音声信号が送信のために与えられ、受信された信号がアンテナを経て獲得され、前記システムは
前記音声信号を受信するように接続され、前記音声信号から変調されたデジタル信号を発生するためのベース段を含み、前記変調されたデジタル信号は所望の第１の中間周波数を有し、
前記ベース段に接続され、前記変調されたデジタル信号を前記所望の第１の中間周波数を有するアナログ送信信号に変換し、かつ前記送信信号の周波数を変更するための中間周波数段階をさらに含み、送信の間前記送信信号の周波数は第２の中間周波数にアップコンバートされ、かつ受信の間前記受信された信号は前記第２の中間周波数からより低い前記所望の第１の中間周波数へダウンコンバートされ、
前記中間周波数段に接続され、送信の間前記送信信号の周波数を前記第２の中間周波数から所望の無線周波数へアップコンバートし、かつ受信の間前記受信された信号を所望の無線周波数から前記第２の中間周波数へダウンコンバートするための無線周波数段と、
前記無線周波数段と前記アンテナとの間に接続された増幅器段とを含み、前記増幅器段は送信経路および受信経路を含み、送信の間前記送信信号を増幅し、かつ前記送信経路と受信経路との間で前記アンテナを切換えるためのものである、デジタルコードレス電話シ
ステム。
【請求項３４】
前記ベース段は、
前記送信信号のレベルを制御するための送信信号利得コントローラをさらに含む、請求項３３に記載のシステム。
【請求項３５】
前記デジタル信号は一連の値を表わし、前記コントローラは前記値を変更することによって前記送信信号のレベルを制御する、請求項３４に記載のシステム。
【請求項３６】
前記コントローラは所望のレベルを有するアナログ信号が結果として生じるように前記デジタル信号のアナログ信号への変換を変更することによって前記送信信号のレベルを制御する、請求項３４に記載のシステム。
【請求項３７】
前記中間段が実現される集積回路と、前記集積回路の温度を検知し、かつ温度表示信号を与えるための温度センサとをさらに含み、前記表示信号は前記利得コントローラに与えられ、前記送信信号のレベルは前記温度表示信号に応答して前記コントローラによって制御される、請求項３４に記載のシステム。
【請求項３８】
前記コントローラはメモリと処理部分とを含み、前記温度センサによって検知された特定の温度に基づいて利得に対する調整を決定するための等式は前記メモリにストアされる、請求項３７に記載のシステム。
【請求項３９】
前記段の少なくとも１つに電力を供給するためのバッテリと、前記バッテリの電圧を検知し、かつ電圧表示信号を与えるための電圧センサとをさらに含み、前記電圧表示信号は前記利得コントローラに与えられ、前記送信信号のレベルは前記電圧表示信号に応答して前記コントローラによって制御される、請求項３４に記載のシステム。
【請求項４０】
前記中間段は前記電圧センサを含む、請求項３９に記載のシステム。
【請求項４１】
前記コントローラはメモリと処理部分とを含み、前記電圧センサによって検知された特定の電圧に基づいて利得に対する調整を決定するための等式は前記メモリにストアされる、請求項３９に記載のシステム。
【請求項４２】
前記増幅器段は、
前記受信された信号のレベルを制御するためのレベルコントローラをさらに含む、請求項３３に記載のシステム。
【請求項４３】
前記レベルコントローラはレベルネットワークを含み、前記レベルネットワークは前記受信された信号が前記レベルネットワークを通されるように前記受信経路で接続され、前記受信された信号のレベルを修正する、請求項４２に記載のシステム。
【請求項４４】
前記レベルネットワークは増幅器と、第１の減衰器と、第２の減衰器とを含み、前記受信された信号は制御信号に応答して、前記増幅器か、前記第１または第２の減衰器のいずれかを通される、請求項４３に記載のシステム。
【請求項４５】
前記レベルコントローラは前記アンテナからの前記受信された信号のレベルを検出し、かつ前記受信された信号の検出されたレベルを表わすレベル表示信号を発生するためのレベル検出器を前記増幅器段においてさらに含み、前記レベルコントローラは前記レベル表示信号に応答して前記制御信号を発生する、請求項４３に記載のシステム。
【請求項４６】
前記レベルコントローラは前記受信された信号のレベルを検出し、かつ前記受信された信号の検出されたレベルを表わすレベル表示信号を発生するためのレベル検出器を前記無線周波数段階においてさらに含み、前記レベルコントローラは前記レベル表示信号に応答して前記制御信号を発生する、請求項４３に記載のシステム。
【請求項４７】
前記レベルコントローラは前記受信された信号のレベルを検出し、かつ前記受信された信号の検出されたレベルを表わすレベル表示信号を発生するためのレベル検出器を前記中間周波数段においてさらに含み、前記レベルコントローラは前記レベル表示信号に応答して前記制御信号を発生する、請求項４３に記載のシステム。
【請求項４８】
前記レベルコントローラの部分は前記ベース段で実現され、前記部分は前記レベル表示信号を受信するように接続され、かつ前記レベルネットワークに接続され、前記部分は前記制御信号を発生するためのものである、請求項４７に記載のシステム。
【請求項４９】
前記増幅器は前記受信された信号のレベルを約１３ｄＢだけ上昇させ、前記第１の減衰器は前記受信された信号のレベルを約−４ｄＢだけ減衰し、前記第２の減衰器は前記受信された信号のレベルを約−２８ｄＢだけ減衰させる、請求項４４に記載のシステム。
【発明の詳細な説明】
【技術分野】
【０００１】
関連出願の相互参照
この出願は１９９２年１２月３１日に提出された同時係属中の出願連続番号第０７／９９９，２１０号に関連し、この関連出願は同じ譲受人に譲渡され、引用によりここに援用する。
【０００２】
発明の分野
この発明は一般にコードレス電話システムに関し、より特定的には、デジタルコードレス電話システムで発生され使用される周波数に関する。
【背景技術】
【０００３】
発明の背景
現在、コードレス電話システムの設計は、アナログ技術を使用して音声表現信号を発生するための技術、および既知の無線送信技術に従ってアナログ形式の信号を送信するための技術に主に基づいている。音声表現信号を発生するためのアナログ技術は干渉およびノイズの影響を受けやすいことが理解されるであろう。次世代のコードレス電話は音声表現信号を発生するためのデジタル技術を組込むものになるであろうことは明白であり、そのデジタル信号はアナログ形式に変換されて送信されることになる。このような次世代の電話は、デジタルコードレス電話（ＤＣＴ）またはパーソナルハンディフォン（ＰＨＰ）と呼ばれていた。
【０００４】
デジタル技術は効果的に音声表現信号を一連の数字に変形するので、発生され再生された音声信号は、現在利用可能なコードレス電話システムで発生されたアナログベースの音声信号より信頼性が高い、つまり干渉およびノイズが少ない。実際、音声または声表現信号を発生するためのデジタル技術はコードベースの電話システムに関連した用途が現在知られている。
【０００５】
この明細書で使用されるように、コードレス電話またはデジタルコードレス電話（ＤＣＴ）は家庭、公衆またはオフィスでの使用が意図されたシステムのことを言う。このようなシステムは典型的にはバッテリで電力供給されるポータブルステーション（ハンドセット）および基地局を含み、基地局は公衆電気通信ネットワークに接続される。この発明はセル方式の、つまり移動携帯電話システムでも用途を見いだし得るが、ここではその説明は行なわない。
【０００６】
送信規格または仕様は、ＤＣＴシステムを設計する際に使用するために日本およびヨーロッパ双方で既に開発されている。送信規格の各々は時分割二重化（ＴＤＤ）フォーマットの使用に基づいており、双方向通信用の時分割二重化を使用する。ここではっきりさせるために、日本の規格について特に説明する。しかしながら、この発明はいかなる送信規格にも有用性を有し、したがってもっぱら日本の規格だけで使用することに制限されないことが注目される。
【０００７】
日本のＤＣＴ送信規格は、約１，８９５ＭＨｚと１，９１８ＭＨｚとの間の約２３ＭＨｚの全システム帯域幅内で３００ｋＨｚの周波数分離を有する複数の個々の搬送波信号の使用を指定する。各搬送波信号は双方向通信用時分割二重化を使用するＴＤＭＡフォーマットで４つのチャネルを支持しなければならない。特に、各時間フレームごとに（５ｍｓ）、４つの送信タイムスロット（各チャネルに１つ）および４つの受信タイムスロット（各チャネルに１つ）がある。各スロットは約６２５μｓの長さであり、各スロット内には
約３０μｓの保護時間が設けられている。
【０００８】
日本の規格下では、音声表現信号は既知のデジタル技術、つまり、適応型パルスコード変調（ＡＤＰＣＭ）技術を使用して発生できる。ＡＤＰＣＭ信号はその後デジタル変調信号を発生するために使用される。日本の規格で指定された変調方式は、１／２乗した余弦フィルタリングを有する差分π／４−ＱＰＳＫ（π／４−直角位相シフトキーイング）方式である。このような方式により、最小の数のビットを使用してデジタルデータ（１および０）の送信が可能になることが理解されるであろう。この方式によって発生されたデジタルデータは３８４ｋＨｚの速度で送信でき、この速度は、変調方式に鑑み、１９２ｋＨｚのシンボル送信速度に対応する。差分π／４−ＱＰＳＫ変調方式のより詳細な説明については、１９９２年１２月３１日に提出された同時係属中の出願連続番号第０７／９９９，２１０号を参照されたい。
【０００９】
対照的に、ヨーロッパのＤＣＴシステムは約１７．２８ＭＨｚの全帯域幅内に１．７２８ＭＨｚの間隔の一連の搬送波を指定する。各搬送波は１２の全二重チャネル、つまり送信用の１２スロットと受信用の１２スロットとを支持する。
【発明の開示】
【発明が解決しようとする課題】
【００１０】
残念ながら、特定の送信規格の仕様は始まったばかりである。デジタルコードレス電話動作が生じ得る特定のパラメータを確立したために、音声表現信号の発生、送信および受信のために使用される構成要素の設計および選択に関連していくつかの技術的な問題が生じている。このような規格のパラメータ内で動作可能なデジタル電話装置の開発を達成するためには、これらの問題を解決しなければならない。
【００１１】
このような問題の１つはＴＤＭＡ−二重方式の使用から生じている。一見して、そのような方法は低価格のように見えるが、実際には完全に配置されたシステムでの実現は高くつく。この問題は日本の規格に関連して理解することができる。上に示したように、日本の規格用のタイムフォーマットは、フレームごとに８つの通信スロットを指定し、各スロットは持続時間が６２５μｓであり、約３０μｓの保護時間が各スロットに含まれる。送信および受信スロットは４と４にグループ分けされる。つまり第１の４つのスロットは送信用であり、第２の４つのスロットは受信用である。すべてのスロットで通信するためには、受信機能と送信機能との間の切換、つまり４番目のスロットと５番目のスロットとの間の切換を２０μｓの保護時間以内に行なうことが可能でなければならない。そのような短い切換時間はＤＣＴシステムの送信および受信構成要素に関連して重要であるが、この切換時間は周波数発生構成要素に関してさらに大きな重要性を有する。
【００１２】
上に示したように、差分π／４−ＱＰＳＫ方式は変調された音声表現信号を発生するように指定される。そのような信号はデジタル形式であるので、アナログ形式に変換されて送信信号を発生する。おそらくは、この信号を適切な搬送周波数で送信するためには、送信信号の周波数を上方向に修正する必要があるであろう。送信信号の周波数を所望の搬送周波数まで上方向に修正するために、おそらくは基準信号がミクサ装置で送信信号と結合される。基準信号はミクサが所望の搬送周波数を発生するのに十分高い周波数を有していなければならないことが理解されるであろう。なぜなら、結果として生じる搬送周波数は周波数和および／または差に等しくなるからである。付加的な信号受信はおそらくはある形式のヘテロダイン式受信を含むであろう。その状況では、受信された信号の搬送周波数は、受信された信号を、既知の周波数を有する信号と混ぜることによって下方向に修正され、周波数差に等しい周波数を有する受信された信号を発生する。
【００１３】
このような送信および受信方式で使用するのに必要な周波数を有する信号を発生するた
めに周波数シンセサイザが使用される場合には、ある周波数の発生から別の周波数の発生へと切換えるシンセサイザの能力は３０μｓのオーダまたはそれ以上でなければならない。シンセサイザの切換時間の問題を解決する１つの方法は、同じ中間周波数で送受信を行なうことであろう。そのような状況では、別のチャネル上で送受信することが所望されれば、シンセサイザ周波数を切換える必要があるだけである。
【００１４】
しかしながら、同じ中間周波数で送受信を行なうことにより、さらに他の問題、つまり、受信に干渉する局所送信の問題が生じる。送信搬送波を発生するための従来の方法は、直角ミクサの使用によるものである。このような場合、基準信号は、そのようなミクサとともに典型的に使用される切換装置によって達成可能な分離が限られているために、搬送周波数で出力成分を発生する。このような問題を克服するために、送信パワーは受信モードの間ＤＣＴの受信感度よりずっと低いレベルまで抑制されなければならない。そのような作用は１３０ｄＢのオーダの送信パワーの抑制に相当する。そのような抑制は、送信および受信構成要素間の分離が従来の信号切換技術によって行なわれる場合には実際的ではないかもしれない。
【００１５】
分離問題は、ポータブルステーションと基地局の双方の物理的なサイズおよびポータブルステーションの重量を低減したいという要求が考慮されるとさらに悪くなる。ポータブルステーションは主にハンドヘルドセットであるので、サイズの低減は特に望ましい。サイズの問題に対する１つの解決策は、ＤＣＴを１つ以上の集積回路（ＩＣ）チップで実現することである。そのような実現例では、送信と受信との間の分離は、送信構成要素と受信構成要素との間に生じる非常に短い距離のために、さらに重要になる。
【００１６】
さらに、ＩＣチップでの実現例はさらに他の問題、つまりさまざまな混合動作に関してそのようなチップに存在するさまざまな正弦信号から生じる偽の干渉の問題を与える。
そのような偽の干渉はＩＣに関連する非常に短い距離のためにより重要になる。
【００１７】
したがって、ＤＣＴ規格の要件を満たし、送信機能と受信機能との間で素早く切換えることが可能であり、受信および送信機能のために非切換周波数シンセサイザを使用することができ、送信構成要素と受信構成要素との間に著しい分離を与え、かつＩＣの形式で実現可能なデジタルコードレス電話システムに対する必要性が存在する。
【課題を解決するための手段】
【００１８】
発明の概要
デジタルコードレス電話システムのための装置および方法において、前に述べられた問題は克服され、かつこの発明の目的および利点が達成される。この発明に従って、このようなシステムは、音声信号を受信するようにされ、その音声信号を所望の形式のデジタル信号に変換するためのベースの集積回路チップと、デジタル信号をアナログ信号に変換し、かつアナログ信号の周波数を変調するための中間周波数集積回路チップとを有する集積回路チップセットを含む。送信の間、アナログ信号の周波数は中間周波数までアップコンバートされ、受信の間、送信された信号は中間周波数からより低い周波数までダウンコンバートされる。この集積回路チップセットは、送信の間アナログ信号の周波数を中間周波数から所望の無線周波数までアップコンバートし、かつ受信の間選択された無線周波数から中間周波数までダウンコンバートするための無線周波数集積回路チップと、無線周波数チップとアンテナとの間に接続された増幅器集積回路チップとを有する。この増幅器チップは送信経路および受信経路を規定し、送信の間無線周波数信号を増幅し、かつ送信経路と受信経路との間でアンテナを切換える。この発明はまた集積回路チップがセットとして与えられることを含む。
【００１９】
このシステムはまた、無線周波数チップに接続し、無線周波数チップにおいて無線周波
数信号および中間周波数信号と混合するための基準信号を発生するための周波数シンセサイザ集積回路チップを含むことが可能である。
【００２０】
ベースのチップが音声信号を表わすパルスコード変調信号を発生するためのデジタル信号発生器を含むことが好ましい。このような実施例では、ベースのチップはパルスコード変調信号を表わす位相シフトキーイングされた変調信号を発生するための変調器を含む。
【００２１】
各チップを個別に考えると、ベースバンド集積回路チップは好ましくは音声信号をデジタル信号に適応的に変換するための変調器と、制御信号に応答してデジタル信号を送信するためのモデムと、モデムが所望される時間期間の間のみデジタル信号を送信するように制御信号を発生するための制御プロセッサとを含む。変調器が所与の繰返し率で音声信号を表わすデジタル信号を発生するための信号発生器と、デジタル信号に応答して一連のデジタルサンプルを発生するための補間器とを含むことが好ましい。これらのサンプルは所与のシンボル速度で発生される。デジタルサンプルがアナログ信号に変換されない場合には、ＤＣＴシステムで生じる、フィルタリングされるであろういかなる送信信号もフィルタリング除去できるように、シンボル速度は十分高いことが好ましい。
【００２２】
中間周波数集積回路チップは、好ましくは、デジタル信号をアナログ信号に変換して送信するためのデジタル−アナログコンバータと、ベースのチップによるさらなる処理のためにさまざまなアナログ信号を変換するためのアナログ−デジタルコンバータと、これらのコンバータ間に接続され、ベースのチップに接続するようにされたデータバスと、デジタル−アナログコンバータに接続されたミクサと、受信された信号を表わすデジタル信号を発生するための検出器とを含む。ミクサはアナログ信号の周波数を上げるか、または受信された信号の周波数を下げるかいずれかの機能を果たす。ミクサは送信信号か受信された信号のいずれかに作用するように接続される。既知の周波数を有する基準信号をミクサに与えるための局所発振器もまた含まれる。このようなチップでは、データバス、ミクサ、および局所発振器は受信および送信動作双方に対して共用される。受信された信号の周波数をその信号が前記第１のミクサで処理された後にさらに変調するための第２のミクサを含むことが特に好ましい。それらのミクサの１つ以上が単測波帯画像除去型であることもまた好ましい。このようなミクサを使用することにより、フィルタの制限および出力増幅中に消費されるパワーを緩和する。
【００２３】
中間周波数チップの検出器がアナログ受信信号を表わすデジタル受信信号を発生するためのリミッタおよび補間器を含むこともまた好ましい。
【００２４】
無線周波数集積回路チップはアナログ信号を受信するように接続されるようにされた第１のスイッチを含む。この第１のスイッチはベースのチップによって与えられる制御信号に応答して動作可能である。やはり制御信号に応答して動作可能な第２のスイッチが含まれる。第１および第２のミクサは第１および第２のスイッチの間に接続され、それによって送信経路および受信経路を規定する。
【００２５】
増幅器およびスイッチ集積回路チップは、ベースのチップによって与えられた制御信号に応答して動作可能であり、相互接続されて受信経路を規定する第１および第２のスイッチと、第１および第２のスイッチ間に接続され、それによって送信経路を規定する増幅器とを含む。アンテナは制御信号に応答して送信経路か受信経路のいずれかに接続される。
【００２６】
この発明はまた所望される周波数変換方式を実現するための方法および装置を含む。これに関して、この発明は３つの段階を含む。第１の段階は、音声信号を受信するようにされ、その音声信号をある繰返し率を有するデジタル信号に変換し、変調された搬送波信号を表わす一連のデジタルサンプルを発生し、送信された信号を表わすデジタル信号を受信
するようにされる。
【００２７】
第２の段階は、前記第１の段階に接続され、一連のデジタルサンプルを受信し、デジタルサンプルを初期周波数を有するアナログ送信信号に変換し、その初期周波数を第１の周波数を有する第１の基準信号に関連して調整するためのものである。第２の段階もまた中間周波数を有する遠隔送信された信号を受信するようにされ、送信された信号の中間周波数を第２の周波数を有する第２の基準信号に関連して調整するためのものであり、第１および第２の基準信号は局所的に発生される。
【００２８】
第３の段階は、第２の段階に接続され、アンテナからの遠隔送信された信号を受信するようにされ、送信信号の周波数を第３の周波数を有する第１の搬送波信号に関連してさらに調整し、アンテナから無線周波数を有する遠隔送信された信号を受信するようにされ、遠隔送信された信号の周波数を第４の周波数を有する第２の搬送波信号に関連して調整するためのものである。サンプル速度、第１および第２の周波数はマスタ周波数の整数倍であることが好ましい。マスタ周波数は９．６ＭＨｚなどのシンボル速度とチャネル間隔との倍数であることが特に好ましい。
【００２９】
変調された搬送波信号が変調された搬送周波数を有することが好ましい。この状況では、変調された搬送周波数および第２の周波数は等しい。繰返し率が第１の段階によって制御される場合には、繰返し率のマスタ周波数に対する割合は２つの整数の分数、つまり整数比であることが好ましい。その割合は３／２５に等しいことが特に好ましい。第３および第４の周波数が等しいこともまた好ましい。
【００３０】
一実施例において、第１の段階は音声信号を表わすデジタル信号を繰返し率で発生し、デジタル信号に応答して、搬送周波数を有する搬送波信号の一連のデジタルサンプルを発生するための変調器を含む。制御信号に応答してデジタルサンプルを送信するためのモデムが変調器に接続され、デジタルサンプルは所望される送信期間の間のみ与えられる。制御信号を発生するためのコントローラがモデムに接続される。そのような実施例では、第２の段階と第３の段階との間に第１の帯域フィルタを含むことが好ましく、第１の帯域フィルタは第１の周波数帯域を規定する。そのような実施例では、第１の周波数は帯域外にあって、初期周波数を有するアナログ送信信号が第２の段階に存在しなければ、第１の基準信号は第１の帯域フィルタを通過しないようになっている。第１の帯域フィルタもまた、アナログ送信信号を第１の基準信号と混ぜることによって生じる所望されないイメージを除去するように動作可能である。
【００３１】
第２の帯域フィルタが第３の段階とアンテナとの間に接続されることもまた好ましく、第２の帯域フィルタは第２の周波数帯域を規定する。このような実施例では、第３の周波数は帯域外にあり、初期周波数を有するアナログ送信信号が第２の段階に存在しない場合には、第３の周波数での信号が第２の帯域フィルタを通過しないようになっている。第２の帯域フィルタもまた、アナログ送信信号を第３の基準信号と混ぜることによって生じる所望されないイメージを除去するように動作可能である。
【００３２】
シンセサイザが基準周波数の整数倍である周波数を有する第１および第２の局所発振器信号を発生することもまた好ましい。基準周波数がチャネル空間によって、またはそれに関連して選択されることが特に好ましい。
【００３３】
この発明は送信信号のレベルを制御するための利得コントローラを含むことがさらに好ましい。この目的のために、コントローラは、音声信号に関連して発生されたデジタル信号のデジタル値を修正するか、またはデジタル信号のアナログ信号への変換を修正して、所望のレベルを有するアナログ信号が生じるようにするかのいずれかによって送信信号の
レベルを制御する。どれくらいの利得調整が所望されるかを決定する際に、この発明の好ましい形式（集積回路で実現される）は、集積回路の温度を検知し、温度表示信号を与えるための温度センサを含む。送信信号のレベルは温度表示信号に応答して制御される。この発明の一形態において、コントローラは利得を温度センサによって検知された特定の温度に関連して調整するための経験的に決定された値のテーブルを含み得る。しかしながら、送信信号のレベルの調整はコントローラにストアされた式に関連して決定されることが好ましい。この式は、温度に関連して利得に対する所望の調整を経験的に決定し、何らかの既知の曲線の当てはめ技術によって、利得対温度を計算するための等式を展開することによって決定される。
【００３４】
この発明の別の実施例では、これらの集積回路の少なくとも１つに電力を供給するためにバッテリが使用される。この実施例では、バッテリの電圧を検知し、電圧表示信号を与えるための電圧センサが設けられる。送信信号のレベルは電圧表示信号に応答してコントローラによって制御される。電圧センサが第２の段階で実現されることが特に好ましい。この実施例では、電圧センサによって検知された特定の電圧に関連して利得に対する調整を決定するための等式が使用される。温度関連の調整と同様に、電圧の変化に応答する調整は経験的に決定され、何らかの既知の曲線当てはめ技術によって利得対電圧を計算するための等式が展開される。温度センサおよび電圧センサの双方を同時に使用することが非常に好ましい。
【００３５】
第３の段階が前記受信された信号のレベルを制御するための利得コントローラを含むこともまた好ましい。一実施例では、利得コントローラは受信経路に接続され、前記受信された信号のレベルを修正するためのネットワークを含む。レベルネットワークが増幅器と、中立経路と、減衰器とを含むことが好ましい。受信された信号は制御信号に応答してこれらの構成要素の１つを通される。
【００３６】
一実施例において、アンテナからの受信された信号のレベルを検出し、レベル表示信号を発生するためのレベル検出器が増幅器段階で実現される。レベルコントローラはレベル表示信号に応答して制御信号を発生する。別の実施例では、レベル検出器はシステムの無線周波数部分に位置決めされる。さらに他の実施例では、レベル検出器はシステムの中間周波数部分に置かれる。
【００３７】
最後に、レベルコントローラの部分がベースのつまり第１の段階で実現されることが好ましい。そのような実施例では、ベースの段階で実現される部分はレベル表示信号を受信するように接続され、かつレベルネットワークに接続される。制御信号を発生するのは、ベースの段階で実現される部分である。
【発明を実施するための最良の形態】
【００３８】
詳細な説明
この発明に従って構成されるＤＣＴシステムが図１に示され、一般に１０で示される。ＤＣＴシステム１０は２つの基地局１２および１４を含み、各々は公衆電気通信ネットワーク１６に接続するようにされる。基地局１２に関連するポータブルステーション１８および２０、ならびに基地局１４に関連するポータブルステーション２２および２４は双方向のコードレス通信を与える。つまり、ポータブルステーション１８を使用する人はポータブルステーション２４を使用する人と会話を行なうことができる。なお、ポータブルステーション１８から２４は好ましくはバッテリ動作のハンドセットの形式である。
【００３９】
基地局１２ならびにポータブルステーションつまりハンドセット１８および２０は、基地局１４ならびにポータブルステーション２２および２４から数マイルのところに物理的に置かれ得ることが理解されるであろう。基地局間の距離はネットワーク１６の能力によ
ってのみ制限される。この発明は数マイルにわたって信号を送信することが可能なポータブルステーションで使用可能であるが、基地局とポータブルステーションとの間の約１００フィート以内で信号を送信するようにされた装置に関してここでは説明する。加えて、この発明は他のポータブルステーションと直接通信可能なポータブルステーションで使用可能であるが、ここでは関連の基地局を介する双方向通信に携わるポータブルステーションに関して説明する。
【００４０】
この発明は前に説明した日本のパーソナルハンディフォン（ＰＨＰ）システム仕様での使用に関連してここに説明する。日本の規格は、約１，８９５ＭＨｚと１，９１８ＭＨｚとの間の約２３ＭＨｚの全システム帯域幅内で少なくとも３００ｋＨｚの周波数分離を有する複数の個々の搬送波信号の使用を指定することが思い出されるであろう。各搬送波信号は双方向通信用の時分割二重化を使用して、ＴＤＤフォーマットで４つのチャネルを支持しなければならない。
【００４１】
なお、ハンドセット１８から２４の内部構造は同一である。つまり、これらのハンドセットが送受信する周波数またはタイムスロットのみが異なっている。そのため、ポータブルステーション２４の内部構造のみを説明する。そのような内部構造は一般に図２に示される。
【００４２】
ポータブルステーション２４の中心はチップまたはプロセッサ２６、２８、３０および３２を含む集積回路チップセットである。各チップの構造の詳細な説明を与える前に、
送信および受信動作中のプロセッサ２６から３２の動作を一般に考えられたい。送信の間、ベースバンドプロセッサ２６は音声信号を受信し、その音声信号を所望の形式を有するデジタル信号、つまり、差分π／４−ＱＰＳＫ信号に変換するように動作する。このデジタル信号は中間周波数（ＩＦ）プロセッサ２８に与えられ、このプロセッサはデジタル信号をアナログ信号に変換し、アナログ信号の周波数を中間周波数まで上方向に修正する。中間周波数信号は無線周波数（ＲＦ）プロセッサ３０に与えられる。ＲＦプロセッサ３０はさらに搬送波信号の周波数を送信に所望される無線周波数まで上方向に修正する。無線周波数信号は増幅器／スイッチチップ３２に与えられる。送信の間、チップ３２は無線周波数信号を増幅し、その増幅された信号をアンテナに与えて、基地局１４に送信する。
【００４３】
受信の間、アンテナで受信された信号はＩＣ３２に与えられ、ＩＣ３２は受信された信号をＲＦプロセッサ３０に送る。ＲＦプロセッサ３０は受信信号を中間周波数信号に、
好ましくは送信の間に使用されたのと同じ中間周波数にダウンコンバートまたはヘテロダイン変換する。中間周波数信号はＩＦプロセッサ２８に与えられる。ＩＦプロセッサ
２８はさらに中間周波数信号の周波数をダウンコンバート、好ましくは２ステップまたは二重のダウン変換し、ダウンコンバートされた受信信号を表わすデジタル信号を発生する。ＩＦプロセッサ２８によって発生されたデジタル信号はベースバンドプロセッサ２６に与えられ、音声信号に変換される。
【００４４】
ここでポータブルステーション２４の送信動作をより詳細に考えられたい。マイクロホン（図示せず）はアナログ音声信号をパルスコード変調（ＰＣＭ）符復号器３４に与える。符復号器３４はアナログ音声信号をパルスコード変調信号に変換する。符復号器３４はアナログ音声信号をＰＣＭ信号に変換するためのいかなる既知の装置であってもよい。ＰＣＭ信号はベースバンドプロセッサ２６に与えられる。なお、送信動作をイネーブルするためにさまざまな周辺装置が使用される。特に、キーパッド３６、液晶ディスプレイ（ＬＣＤ）３８および発光素子（ＬＥＤ）４０は送信を開始するために使用される。キーパッド３６はデコーダ４２を介して動作し、適切なダイヤル信号またはキーイング信号をプロセッサ４４に与える。プロセッサ４４は次にドライバ４６を介してＬＣＤ３８を動作し、ＬＥＤ４０を直接イネーブルするように示される。プロセッサ４４は次にベースバンドプ
ロセッサ２６と直接相互作用する。マスタ発振器４８はマスタクロック信号をプロセッサ２６および２８に与える。好ましい実施例では、マスタクロック信号の周波数は１９．２ＭＨｚである。
【００４５】
プロセッサ２６はＰＣＭ信号を約１．１５２ＭＨｚの反復度を有するデジタル信号に変換し、そのデジタル信号を９．６ＭＨｚの有効サンプリング速度で補間する。ベースバンドプロセッサ２６の出力は、１０．７５２ＭＨｚの周波数を有する変調された搬送波信号を表わす一連のデジタルサンプルである。これらのサンプルはＩＦプロセッサ２８に与えられる。ＩＦプロセッサ２８はこれらのサンプルを内部デジタル−アナログコンバータでアナログＩＦ搬送波に変換し、その後帯域フィルタ５０を介してそのアナログ信号をフィルタリングする。フィルタリングされた信号はＩＦプロセッサ２８に戻され、そこで２５９．２ＭＨｚの周波数を有する局所発振器信号と混ぜられる。結果として生じる信号は、２４８．４４８ＭＨｚの周波数を有し、その後帯域フィルタ５２を通される。
【００４６】
帯域フィルタ５２の出力はＲＦプロセッサ３０に与えられ、そこで再び特定の周波数を有する信号と混ぜられる。この最終混合動作の目的は、送信される信号の周波数を所望されるチャネルの周波数に固定することである。この最終混合ステップで使用される基準信号はシンセサイザ５４によって発生される。この基準周波数は３００ｋＨｚの倍数であることが思い出される。３００ｋＨｚはチャネル空間要求に関連して選択されることが注目される。この最終混合段階の後、１，８９５ＭＨｚから１，９１８ＭＨｚの間の範囲の周波数を有する信号は帯域フィルタ５６を通されて増幅器／スイッチＩＣ３２へと送られる。送信動作の間、ＩＣ３２はフィルタ５６から受信された信号を、その出力がフィルタ５８に接続される内部増幅器に通す。フィルタ５８を通った後、送信される信号はチップ３２に戻され、そこでアンテナ６０に接続されて送信される。なお、送信動作と受信動作との間のプロセッサ２８、３０および３２の切換はプロセッサ２６によって発生されるＴ／Ｒ制御信号によって制御される。
【００４７】
ここで受信動作の間のポータブルステーション２４の構造について考えられたい。ベースバンドプロセッサ２６はプロセッサ２８、３０および３２に与えられる適切な受信制御信号を発生する。この信号を受信すると、ＩＣ３２はアンテナ６０を受信経路に切換え、そこでアンテナ６０からの信号はフィルタ６２を通してＩＣ３２に戻され、帯域フィルタ５６に与えられる。帯域フィルタ５６はしたがって送信動作および受信動作の双方に対して共用される。
【００４８】
帯域フィルタ５６の出力はＲＦプロセッサ３０に与えられる。受信信号はＲＦプロセッサ３０でシンセサイザ５４によって発生された信号と混ぜられ、所望される搬送周波
数がヘテロダイン動作の結果として選択されるようにする。
シンセサイザ５４によって発生された信号の周波数は、選択された搬送波が約２４８．４４８ＭＨｚの周波数でＲＦプロセッサ３０から出力されるようなものである。ＲＦプロセッサ３０から出力された選択された搬送波は帯域フィルタ５２を通され、ＩＦプロセッサ２８に与えられる。このように、帯域フィルタ５２もまた送信動作および受信動作の双方に対して共用される。
【００４９】
混合動作の間、ＩＦプロセッサ２８は選択された搬送波の周波数を約１０．７５ＭＨｚまで低減する。この信号はその後帯域フィルタ５０を通される。特に好ましい実施例では、この時点で受信信号をフィルタリングするために別の帯域フィルタが使用される（図９参照）。選択された搬送波信号はその後、搬送周波数を１．１５ＭＨｚまで低減するためにさらなる混合動作にかけられる。結果として生じる１．１５ＭＨｚの信号は帯域フィルタ６４を通され、ＩＦプロセッサ２８に戻される。
【００５０】
この時点で、ＩＦプロセッサ２８は、好ましくは制限補間動作により、依然としてアナログ形式の選択された搬送波信号を表わすデジタル信号を発生する。ＩＦプロセッサ２８によって発生されたデジタル信号は、ベースバンドプロセッサ２６に与えられ、そこで復調され、ＰＣＭ信号に変換され、符復号器３４に与えられる。符復号器３４はその後そのＰＣＭ信号をアナログ信号に変換し、この信号はスピーカ（図示せず）に与えられて再生される。
【００５１】
ここで図３を参照して、基地局の構造を説明する。基地局１４の構造は、ベースバンドプロセッサ２８に関連して使用される装置を除いては、図２に示されるものと概ね同一であることがまず注目される。したがって、差のみを図３に示す。
【００５２】
ここで説明される実施例では、基地局１４で使用されるベースバンドプロセッサ２８はいずれのマイクロフォンまたはスピーカとも関連しない。明らかに、図２の開示を検討すれば、そのような修正を行なうことができる。したがって、この発明はその範囲内にそのような修正も含む。
【００５３】
図３に示されるように、ベースバンドプロセッサ２８は再びＰＣＭ符復号器３４に接続される。ＰＣＭ符復号器３４は入力／出力装置６６に接続され、これは公衆電気通信ネットワーク１６に接続される。ポータブルステーション２４のベースバンドプロセッサ２８は符復号器３４によって与えられた信号を一連のデジタルサンプルに変換したことが思い出されるであろう。その変換の第１のステップは、ポータブルステーション２４にとっても基地局１４にとっても、適応型パルスコード変調器（ＡＤＰＣＭ）６８でＰＣＭ信号を処理することである。入力／出力装置６６の出力はまたＰＣＭ符復号器７０にも接続され、このＰＣＭ符復号器７０は事実上ＡＤＰＣＭ６８と同一の態様で動作するさらなるＡＤＰＣＭ７２に接続される。装置７２の出力は入力／出力部７４を介してベースバンドプロセッサ２６に与えられる。２つのＡＤＰＣＭ装置を備えることにより、基地局１４は２つのポータブルステーションを同時に取扱うことが可能である。言い換えれば、基地局１４はネットワーク１６からの２つの別個の入来電話呼出を処理することができる。ＡＤＰＣＭ６８および７２によって発生された信号はバッファ７６にストアされ、プロセッサ２６によってさらに処理される。
【００５４】
ポータブルステーションと基地局との間の差は図３に関連して説明したので、以後の説明はいずれの１つのタイプのステーションにも向けられない。
【００５５】
図４は一般にベースバンドプロセッサ２６の内部動作を開示する。プロセッサ２６はプロセッサ２６のさまざまな構成要素のすべてを相互接続する中央バス８０を含んで示される。プロセッサ８２はバス８０に接続され、送信動作が実行されているか受信動作が実行されているかに依存して、適応型パルスコード変調または適応型パルスコード復調に主に責任を負う。プロセッサ２６のためのプログラミングはリードオンリメモリ８４に含まれる。インタフェースプロセッサ８６はプロセッサ２６をさまざまな周辺装置、つまり、キーパッド３６、ＬＣＤ３８およびＬＥＤ４０とインタフェースするために設けられる。
【００５６】
支援装置８８はＴ／Ｒ信号などのさまざまな制御信号の送受信のために設けられる。図８に関連して説明されるように、支援装置８８は温度および電圧の表示を受信し、それらの信号は正確な信号強度の推定値を維持するために受信信号強度インジケータ（ＲＳＳＩ）８９によって作用される。
【００５７】
モデム９０は受信された信号の復調および送信される信号の変調のために設けられる。この目的のために、モデム９０は変調器９２および復調器９４を含む。モデム９０はＩＦプロセッサ２８への信号の出力、およびプロセッサ２８からの信号の受信の双方を制御す
る。復調器９４によって受信されたデジタル信号はアンテナ６０で受信されたアナログ信号を表わすことが思い出される。復調器９４の動作のより完全な説明については、１９９２年１２月３１日に提出された同時係属中の出願連続番号第０７／９９９，２１０号を再び参照されたい。
【００５８】
変調器９２はバス８０に接続され、前に言及した、１０．７５２ＭＨｚの周波数を有する変調された搬送波の一連のデジタルサンプルを発生する責任を負う。変調器９２によって発生されたサンプルはモデム９０からＩＦプロセッサ２８に出力される。モデム９０は変調器９２によって発生されたデジタルサンプルが予め定められた時間期間の間のみ送信される態様で制御される。すべての他の時間期間の間、モデム９０はデジタルサンプルのプロセッサ２８への送信を阻止する。
【００５９】
同一の搬送周波数上で情報を送受信するデジタルコードレス電話に伴う問題の１つは、１３０ｄＢのオーダで送信パワーを抑制しなければならないことであったことが思い出される。そのような抑制はモデム９０を「オフ」することによって、つまり、モデム９０にデジタルサンプルのプロセッサ２８への送信を阻止させることによって容易に達成される。モデム９０が「オフ」であれば、プロセッサ３０によって送信されるいかなる不所望の信号もフィルタ５２によって通されない十分高い周波数を有するであろう。したがって、送信構成要素と受信構成要素との間の抑制の量は１３０ｄＢより大きい。
【００６０】
ここで図５を参照して、ＩＦプロセッサ２８の一般的な構造を説明する。変調器９２によって発生された一連のデジタルサンプルはモデム９４によってデジタル−アナログコンバータ９６に与えられる。コンバータ９６は一連のデジタルサンプルを約１０．７５２ＭＨｚの搬送周波数を有し、変調器９２によって与えられた情報に従って変調されるアナログ信号に変換する。送信動作の間、このアナログ信号は帯域フィルタ５０を通され、ミクサ９８に与えられる。１０．７５２ＭＨｚは局所発振器１００によって発生された信号と混ぜられる。好ましい実施例において発振器１００によって発生された信号の周波数は、約２５９．２ＭＨｚである。送信動作が起こっているので、ベースバンドプロセッサ２６によって発生されるＴ／Ｒ信号は送信を示している。したがって、スイッチ１０２はミクサ９８の出力を帯域フィルタ５２に送信するように切換えられる。
【００６１】
受信動作の間、フィルタ５２を通るアナログ信号はスイッチ１０２に与えられる。Ｔ／Ｒ信号は受信動作の間受信を表示している。応じて、スイッチ１０２はフィルタ５２から受信された信号をミクサ１０４に与える。ミクサ１０４は、受信信号を発振器１００によって発生された同じ２５９．２ＭＨｚの信号と混ぜ、約１０．７５ＭＨｚの周波数を有するアナログ信号を発生する。前に示されたように、この１０．７５ＭＨｚの信号は帯域フィルタ５０を通されてもよいし、または好ましくは別の帯域フィルタ（図示せず）を通されてもよい。
【００６２】
ミクサ１０４がイメージ除去を与える単側波帯ダウンコンバータ型であることが特に好ましい。ミクサ１０４でイメージ除去を与えることによって、フィルタ５２はそれほど精密でなくてもよい。言い換えれば、フィルタ５２は信号除去に対する低減された要求を有することになる。結果として、フィルタ５２は実現にあまり費用がかからず、かつより小さくなる。
【００６３】
フィルタリングの後、１０．７５ＭＨｚの信号はミクサ１０６に与えられ、そこで９．６ＭＨｚの信号と混ぜられ、約１．１５ＭＨｚの出力信号を結果として生じる。１．１５ＭＨｚの信号はフィルタ６４およびレベル検出器１０７に与えられる。レベル検出器１０７は受信された信号のレベルを検知し、信号レベル表示信号を発生する。この表示信号はベースバンドプロセッサ２６に与えられる。この表示信号の使用のより詳細な説明は図７
に関連して与えられる。一般に、レベル表示信号は受信された信号の増幅または減衰のいずれかを制御するために使用される。しかしながら、好ましい実施例では何ら特定のレベル検出器は必要ではない。なぜなら表示信号はデジタル信号、つまり、受信された信号がある所望のレベルより上または下であることを示す論理ハイまたは論理ローのいずれかであるからである。
【００６４】
フィルタ６４の出力はリミッタ−サンプラ１０８に与えられる。このリミッタ−サンプラはフィルタ６４から受信された１．１５ＭＨｚの信号に含まれる情報を表わすデジタル信号を発生する。リミッタ−サンプラ１０８によって発生されたデジタル信号はベースバンドプロセッサ２６の復調器９４に与えられる。アナログ−デジタルおよびデジタル−アナログコンバータ１１０もまたＩＣ２８に設けられる。図８に関連して理解されるように、コンバータ１１０はベースバンドプロセッサ２６に環境情報を与えるように動作し、かつまた発振器４８のための制御信号を発生するように動作する。
【００６５】
発振器４８によって発生された信号の周波数は１９．２ＭＨｚであることがこの時点で注目される。図９に関連して説明されるように、プロセッサ２６、２８、３０および３２に関連して使用される発振器周波数のすべては、シンセサイザ５４によって発生される信号の周波数を除いては、９．６ＭＨｚの整数倍である。シンセサイザ５４によって発生される信号の周波数は好ましい実施例では３００ｋＨｚの倍数である。
【００６６】
ここで図６を参照して、ＲＦプロセッサ３０の構造についてより詳細に論じる。送信動作の間、フィルタ５２を通るアナログ信号はスイッチ１１２に与えられる。スイッチ１１２はこのアナログ信号をミクサ１１４に与え、そこでこの信号はシンセサイザ５４によって発生された信号と混ぜられる。シンセサイザ５４によって発生された信号の周波数は、ミクサ１１４の出力が１，８９５ＭＨｚと１，９１８ＭＨｚとの間の周波数範囲内の所望の搬送周波数になるように固定されることが思い出される。ミクサ１１４の出力はスイッチ１１６に与えられ、このスイッチは送信モードの間このアナログ信号をフィルタ５６に与えるように切換えられる。ミクサ１１４をスイッチ１１２と１１６との間に置くことによって送信経路が規定される。
【００６７】
ミクサ１０４と同様に、ミクサ１１４は好ましくはイメージ除去を与える単側波帯アップコンバータである。このようなイメージ除去により、ＩＣ３２によって与えられるいずれの信号増幅のパワー要求をも著しく低減する。言い換えれば、イメージ除去を与えることによって、増幅される最大信号レベルを約４分の１に低減する。増幅器１２２（図７）のパワー要求はこのようにミクサ１１４のイメージ除去を与えることによって最小限にされる。
【００６８】
受信動作の間、アンテナ６０上に存在する信号はフィルタ５６を介してスイッチ１１６に与えられる。スイッチ１１６は受信モードでは受信信号をミクサ１１８に与えるように切換えられ、そこでこの信号はシンセサイザ５４によって発生された信号と混ぜられる。図６に示される実施例では、ミクサ１１８に対してシンセサイザ５４によって与えられた信号はミクサ１１４に与えられたものと同じ周波数である。ミクサ１１８に関連して使用されたヘテロダイン技術はアンテナ６０で受信された搬送波信号の１つを選択する機能を果たす。選択された搬送波信号はスイッチ１１２に与えられ、スイッチ１１２は選択された信号をフィルタ５２に通す。
【００６９】
ミクサ１１８に与えられた信号はまたレベル検出器１１９に与えられる。検出器１１９は受信された信号のレベルを検知し、信号レベル表示信号を発生する。この表示信号はベースバンドプロセッサ２６に与えられる。この表示信号の使用のより詳細な説明は図７に関連して行なわれる。一般に、レベル表示信号は、検出器１０７によって発生された信号
と同様に、受信された信号の増幅または減衰のいずれかを制御するために使用される。しかしながら、好ましい実施例では何ら特定のレベル検出器は必要ではない。なぜなら表示信号はデジタル信号、つまり、受信された信号がある所望のレベルより上または下であることを示す論理ハイまたは論理ローのいずれかであるからである。
【００７０】
ここで図７を参照して、ＩＣ３２の動作をより詳細に説明する。送信動作の間、信号がフィルタ５６から受信され、その周波数は選択された搬送周波数である。この信号はスイッチ１２０に与えられ、スイッチ１２０は搬送波信号を増幅器１２２に与える。増幅器１２２は必要なパワー増幅を与え、搬送波信号がアンテナ６０に与えられたとき、その信号が場合に応じてポータブルステーションまたは基地局によって受信されるようにする。増幅器１２２の出力はフィルタ５８に与えられる。フィルタ５８の出力はスイッチ１２４に与えられる。送信モードの間、スイッチ１２４はフィルタ５８の出力をアンテナ６０に与えるように切換えられる。
【００７１】
ＩＣ３２はまた負電圧発生器１２６を含んで示される。発生器１２６はＩＣ２８によって与えられた局所発振器信号をスイッチ１２０、増幅器１２２およびスイッチ１２４で使用するための負電圧に変換する。要素１２０−１２４は好ましくは多数の電界効果トランジスタ（ＦＥＴ）を使用して実現されることが注目される。負電圧の使用によりこのような装置における「切換」が著しく高められる。結果として、これらの要素のより精密な動作が達成され得る。さらに、ポータブルステーションはバッテリによって電力を供給されるので、別個の負電圧源は利用できない。
【００７２】
受信モードの間、アンテナ６０によって受信された信号はスイッチ１２４によってフィルタ６２に与えられる。フィルタ６２の出力はスイッチ１２０によってレベルネットワーク１２８に与えられ、そこで受信された信号が修正される。好ましくは、受信された信号は増幅されるかまたは減衰されるかのいずれかである。ネットワーク１２８の出力はフィルタ５６に与えられる。
【００７３】
図７に示される実施例では、ネットワーク１２８に与えられた受信された信号は約１３ｄＢの利得を与える低ノイズ増幅器で増幅されるか、第１の減衰器で約−４ｄＢだけ減衰されるか、第２の減衰器で約−２８ｄＢだけ減衰されるかのいずれかである。受信された信号はスイッチ機構のオリエンテーションに依存して、これらの構成要素の１つによって処理される。スイッチはプロセッサ２６によって発生された制御信号によって制御される。プロセッサ２６は、レベルインジケータ１０７が受信された信号がある所望のレベルにあるかまたはある所望の範囲内であることを示すまで、さまざまな構成要素間で切換える。この切換ネットワークを与えることによって、ポータブルステーションが基地局に近くなりすぎることによって生じる飽和は回避される。
【００７４】
ここで図８を参照して、ＩＦチップ２８のより詳細な実施例を示す。チップ２８はデータバス１３０を含むように示される。データバス１３０は送信動作の間情報を送信するために、および統計情報をベースバンドプロセッサ２６に与えるために共用されることが注目される。まず送信動作の間のプロセッサ２８の動作を考えられたい。
【００７５】
送信／受信（Ｔ／Ｒ）信号はコントローラ１３２に与えられる。コントローラ１３２は、とりわけ、信号アップ／ダウンコンバータ１３４をアップ変換モードに切換えるように動作する。送信動作に従って、一連のデジタルサンプルがプロセッサ２６によってバス１３０に与えられ、そこでこのようなサンプルはデジタル−アナログコンバータ１３６によって約１０．７５２ＭＨｚの周波数を有するアナログ信号に変換され、この信号はフィルタ５０に与えられる。もしプロセッサ２６が送信される信号のレベルを修正することを決定すれば、プロセッサ２６は変換を修正する、つまりアナログ出力の振幅を増加または減
少させることが思い出される。
【００７６】
フィルタ５０を通る信号はアップ／ダウンコンバータ１３４に与えられ、このアップ／ダウンコンバータ１３４は、好ましい実施例では、シングル平衡ミクサであってもダブル平衡ミクサであってもよい。図５に関連して前に説明したように、マスタ発振器信号は局所発振器１３６（前の説明では発振器１００）に与えられ、この発振器は必要とされる周波数信号をコンバータ１３４に与える。発振器１３６によって発生された信号の周波数は好ましくは２５９．２ＭＨｚ、つまり９．６ＭＨｚの整数倍（２７）であることが思い出される。送信モードの間のアップ／ダウンコンバータの出力はフィルタ５２に与えられる。
【００７７】
受信動作モードの間、フィルタ５２の出力はアップ／ダウンコンバータ１３４に与えられ、そこで信号は約１０．７５ＭＨｚの周波数にダウンコンバートされる。この信号はフィルタ５０を通ることが可能であるが、この信号を別の１０．７５ＭＨｚの帯域フィルタに通すことが好ましい。別個の帯域フィルタの出力はミクサ１３８に与えられる。ミクサ１３８はその受信信号をシンセサイザ４８から受信された９．６ＭＨｚの信号と混ぜる。ミクサ１３８の出力は約１．１５ＭＨｚの周波数を有する信号であり、この信号は帯域フィルタ６４に与えられる。ミクサ１３８の出力はまたレベル検出器１０７に与えられ、これは受信された信号のレベルを検出する。検出器１０７は表示信号を発生し、この信号はデジタル形式に変換され、共用バス１３０に与えられる。
【００７８】
フィルタ６４の出力はリミッタ−サンプラ１４０に与えられる。前に示されたように、リミッタ−サンプラ１４０（前の説明では１０８）はフィルタ６４から受信されたアナログ信号を表わす信号を発生し、この信号から信号強度が決定される。リミッタ−サンプラ１４０によって発生された信号はコンバータ１４４に与えられデジタル形式に変換され、バス１３０に与えられプロセッサ２６の受信信号強度インジケータ（ＲＳＳＩ）８９に出力される。
【００７９】
単一の集積チップでＩＦプロセッサを実現する利点の１つは、リミッタおよびサンプラ装置が物理的に密接して配置され得ることである。言い換えれば、リミッタからサンプラまでの物理的な距離は非常に短い。
【００８０】
温度および電圧検知装置１４６および１４８それぞれは、プロセッサ２８の動作環境を示す信号を与える。特に、温度装置はチップの温度の表示を与える。電圧センサ１４８はバッテリ１４９の出力電圧をモニタする。ＩＣ２６、２８、３０および３２はバッテリパワーに接続されたポータブルステーション２４で実現されることが思い出される。バッテリ１４９はそのようなパワーを与える。バッテリ１４９の電圧出力は上がったり下がったりするので（再充電可能なバッテリが使用されると仮定して）、さまざまな送信および受信信号レベルがもたらされるであろう。その結果、バッテリ電圧がモニタされる。装置１４６および１４８の出力はまたコンバータ１４４に与えられ、コンバータ１４４は共用データバス１３０上で温度および電圧を示すデジタル信号を与える。温度および電圧情報はマスタ発振器４８によって発生されている周波数を調整するためにプロセッサ２６によって使用される。この目的のために、プロセッサ２６は支授部８８（図４）で制御信号を発生し、この信号は共用データバス１３０に与えられる。この制御信号はデジタル−アナログコントローラ１５０によって変換され、マスタ発振器４８に与えられる。
【００８１】
プロセッサ２６はまた温度および電圧情報を使用して、送信されている信号のレベルを調整する。この点に関して、プロセッサ２６の一実施例は対応の利得修正情報を有する温度および電圧値のルックアップテーブルを含み得る。そのようなテーブルを発生するための特別な方法は何ら必要とされない。このテーブルの発生は経験的に達成され得ることが
わかっている。好ましい実施例では、そのようなテーブルにストアされる値が分析され、既知の曲線当てはめ技術を利用して等式が展開され、それから利得修正情報がダイナミックに決定され得る。
【００８２】
この発明の周波数変換方式および全体の動作をより完全に理解するために、ここで図９を参照する。図９から、局所発振器１００によって発生された周波数およびミクサ１０６およびベースバンドプロセッサ２６に与えられる信号の周波数のすべては９．６ＭＨｚの整数倍であることが理解されるであろう。
【００８３】
アンテナ６０から送信され、アンテナ６０によって受信された信号の最終的な搬送周波数が以下の式に従って選択される場合には、１，８９５ＭＨｚから１，９１８ＭＨｚの周波数範囲内で余分の送信チャネルが得られることが知られている。
【００８４】
Ｆ0 ＝Ｎ×３００ＫＨｚ＋５０ＫＨｚ
この式において、Ｎは１，８９５．１５ＭＨｚのベース
の周波数に対してＮ＝６，３１７になるような整数である。
【００８５】
このような方式に従って、動作周波数または搬送周波数は３００ＫＨｚの整数倍ではなく、５０ｋＨｚの整数倍である。単一ループ間接周波数シンセサイザ（シンセサイザ５４）の切換速度は基準周波数のサイクルタイムに比例する。基準周波数はシンセサイザの周波数ステップに等しい。シンセサイザは６２５マイクロ秒スロットタイム内で整定しなければならないと仮定すると、シンセサイザは５０ｋＨｚが使用されれば、基準周波数の３１サイクル内に整定する必要がある。３００ｋＨｚの基準周波数については、対応の整定時間は１８７サイクルである。３１サイクル期間内に必要とされる位相ノイズおよび偽の性能を達成することは非常に困難であるが、１８７サイクル内では実行可能である。したがって、シンセサイザ５４が３００ｋＨｚに等しい基準周波数を有することは好ましい。この発明について説明してきたように、約１０．７５２ＭＨｚの周波数はベースバンドプロセッサ２６によって発生されるので、シンセサイザ５４は５０ｋＨｚではなく３００ｋＨｚのステップで動作可能である。
【００８６】
送信動作に関連して図９を考えられたい。ベースバンドプロセッサ２６は予め定められた時間期間の間モデム９４をイネーブルする。その時間期間の間、変調器９２（図４）によって発生された一連のデジタルサンプルはデジタル−アナログコンバータ９６に与えられる。コンバータ９６の出力は約１０．７５２ＭＨｚの周波数を有するアナログ変調された信号である。上に与えられた式は５０ｋＨｚの周波数オフセットが所望されることを示しているが、５２ｋＨｚのオフセットを与える方がデジタルサンプルの発生にとって実現が著しく容易である。この程度までオフセットは局所発振器がその整数倍である周波数の分数であることが好ましい。つまり、基準周波数（好ましい実施例では９．６ＭＨｚ）によって分割されるオフセット周波数は分子および分母に整数を有する分数を発生しなければならない。図９に示される実施例では、１．１５２ｋＨｚは９．６ＭＨｚの３／２５である。
【００８７】
コンバータ９６によって出力されるアナログ信号は帯域フィルタ５０を通してミクサ９８に送られる。ミクサ９８は１０．７５２ＭＨｚの信号を２５９．２ＭＨｚの基準信号と混ぜる。ミクサ９８の出力は２４８．４５ＭＨｚの周波数を有する信号であり、この信号は帯域フィルタ５２を通される。フィルタ５２の出力はミクサ１１４に与えられ、
そこでこの信号はシンセサイザ５４の出力と混ぜられる。前に説明したように、シンセサイザ５４の出力は３００ｋＨｚの倍数で修正され得る。ミクサ１１４の出力は増幅器１２２およびスイッチ１２４を通してアンテナ６０に送られる。
【００８８】
受信動作の間、アンテナ６０によって受信された信号はスイッチ１２４を通して帯域フィルタ５６に送られる。フィルタ５６の出力はミクサ１１８に与えられる。シンセサイザ５４によって発生された信号はミクサ１１８の受信信号とヘテロダインされ、所望される搬送波信号を選択する。所望される搬送波信号は帯域フィルタ５２を通され、ミクサ１０４で局所発振器１００によって与えられた２５９．２ＭＨｚの信号と混ぜられる。ミクサ１０４の出力は約１０．７５ＭＨｚの周波数を有する信号である。この信号は帯域フィルタ１５２を通され、ミクサ１０６に与えられる。ミクサ１０６の出力は１．１５ＭＨｚの信号であり、これは前に説明されたように、ベースバンドプロセッサ２６に与えられる前にリミッタ／補間器を通される。
【００８９】
この発明を特定の実施例を参照して説明しかつ例示してきたが、当業者はここに説明され、かつ添付の請求の範囲に述べられるこの発明の原理から逸脱することなく、修正および変形が行なわれ得ることを理解するであろう。
【図面の簡単な説明】
【００９０】
【図１】この発明に従って構成されるデジタルコードレス電話システムのブロック図である。
【図２】図１に示されたポータブルステーションの中心構成要素のブロック図である。
【図３】図２の構成要素の一部のブロック図であり、構成要素が今度は図１に示された基地局の中心部分を形成するように修正された図である。
【図４】図２に示されたベースバンドプロセッサの動作を示す一般的な概略図である。
【図５】図２に示されたＩＦプロセッサブロックの一般的な概略図である。
【図６】図２に示されたＲＦプロセッサブロックの一般的な概略図である。
【図７】図２に示された増幅器／スイッチブロックの一般的な概略図である。
【図８】図２に示されたＩＦブロックのより詳細な図である。
【図９】図２に示された中間周波数プロセッサの好ましい実施例の図である。
【符号の説明】
【００９１】
１０  ＤＣＴシステム、１２，１４  基地局、１６  公衆電気通信ネットワーク、１８，２０，２２，２４  ポータブルステーション、２６  ベースバンドプロセッサ、２８  ＩＦプロセッサ、３０  ＲＦプロセッサ、３２  増幅器／スイッチ。
【図１】
2006081206.tif 000003
【図２】
2006081206.tif 000004
【図３】
2006081206.tif 000005
【図４】
2006081206.tif 000006
【図５】
2006081206.tif 000007
【図６】
2006081206.tif 000008
【図７】
2006081206.tif 000009
【図８】
2006081206.tif 000010
【図９】
2006081206.tif 000011
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
コードレス電話であって、
ベースバンドプロセッサ（２６）と、
第１のスイッチ（１０２）を有する中間周波数プロセッサ（２８）と、
第２のスイッチ（１１６）を有する無線周波数プロセッサ（３０）と、
第３のスイッチ（１２４）を有する組合せ増幅器およびスイッチプロセッサ（３２）とを備え、
前記第１、第２および第３のスイッチは、前記中間周波数プロセッサ、前記無線周波数プロセッサおよび前記組合せ増幅器およびスイッチプロセッサによって実行されるべき受信処理または送信処理のいずれかを能動化する、前記ベースバンドプロセッサからの制御信号を受信するように構成される、コードレス電話。
【請求項２】
前記プロセッサ（２６，２８，３０および３２）の各々は、互いに分離された集積回路チップとして構成される、請求項１に記載のコードレス電話。
【請求項３】
前記ベースバンドプロセッサは、第１の音声信号を第１のデジタル信号に変換し、かつ前記中間周波数プロセッサから受信した第２のデジタル信号を第２の音声信号に変換するように構成される、請求項１に記載のコードレス電話。
【請求項４】
前記中間周波数プロセッサは、前記ベースバンドプロセッサから受信した第１のデジタル信号を第１の中間周波数を有するアナログ信号に変換するように構成され、前記中間周波数プロセッサは、前記無線周波数プロセッサから前記第１の中間周波数を有する第２のアナログ信号を受信し、かつ前記第２のアナログ信号を第２のデジタル信号に変換するように構成される、請求項１に記載のコードレス電話。
【請求項５】
前記無線周波数プロセッサは、前記中間周波数プロセッサから受信した第１の中間周波数を有するアナログ信号を第１の無線周波数を有する第１の無線周波数信号に変換するように構成され、前記無線周波数プロセッサは、前記第１の無線周波数を有する第２の無線周波数信号を受信し、かつ前記第２の無線周波数信号を第１の中間周波数を有する第２の中間信号に変換するように構成される、請求項１に記載のコードレス電話。
【請求項６】
前記組合せ増幅およびスイッチプロセッサは、前記無線周波数プロセッサから第１の信号を受信して増幅し、増幅した信号をアンテナに供給するように構成され、かつ前記組合せ増幅およびスイッチプロセッサは、前記アンテナから第２の信号を受信し、前記第２の信号を選択的に増幅または減衰するように構成される、請求項１に記載のコードレス電話。
【請求項７】
前記組合せ増幅およびスイッチプロセッサは、前記組合せ増幅およびスイッチプロセッサに前記第２の信号を増幅するのかまたは減衰するのかを指示する前記ベースバンドプロセッサからの第２の制御信号を受信するように構成される、請求項６に記載のコードレス電話。
【請求項８】
温度センサ（１４６）、電圧センサ（１４８）、アナログ−デジタルコンバータ（１４４）、デジタル−アナログコンバータ（１５０）、およびバス（１３０）をさらに備え、前記電圧センサは、バッテリー電圧および前記バッテリー電圧の変化を検知するように構成され、前記温度センサは、周囲温度を検知するように構成され、かつ前記アナログ−デジタルコンバータは、前記温度センサおよび電圧センサから信号を受信し、前記信号を変換し、かつ前記変換された信号を前記ベースバンドプロセッサに供給するように構成される、請求項１に記載のコードレス電話。
【請求項９】
前記ベースバンドプロセッサは、第３の制御信号を前記バスを介して前記デジタル−アナログコンバータへ、そして発振器（４８）へ与えることにより、前記変換された制御信号に基づいて、前記発振器の周波数を調整するように構成される、請求項８に記載のコードレス電話。
【請求項１０】
前記中間周波数プロセッサは、前記温度センサ、前記電圧センサ、前記アナログ−デジタルコンバータ、前記デジタル−アナログコンバータ、および前記バスを含む、請求項９に記載のコードレス電話。